(57)【特許請求の範囲】
【請求項１】
所定数のＬＥＤを実装し、互いに対向する隣接側端部を近接させて２枚が隣接方向に沿って隣接した状態で配置されるＬＥＤ基板であって、電源接続用のハーネスが接続されるコネクタを前記隣接側端部に配置し、
前記隣接側端部は、前記所定数のＬＥＤが格子状に実装される矩形の基板の一辺であり、
前記隣接側端部は、前記隣接方向に直交する方向の中心点について回転対称となる凹凸形状を呈するＬＥＤ基板。
【請求項２】
前記隣接側端部は、前記基板の短辺である請求項１に記載のＬＥＤ基板。
【請求項３】
２枚の請求項１又は２に記載のＬＥＤ基板が、前面に隣接して取り付けられるフレームと、
前記フレームの裏面側に配置され、前記２枚のＬＥＤ基板のそれぞれに個別のハーネスを介して電気的に接続される電源部と、を備え、
前記フレームにおける前記２枚のＬＥＤ基板の中間位置に前記ハーネスが貫通する孔部を形成した照明装置。
【請求項４】
請求項３に記載の照明装置の前面側に配置される液晶パネルを備えたディスプレイ装置。
【発明の詳細な説明】
【技術分野】
【０００１】
この発明は、複数のＬＥＤを実装するＬＥＤ基板に関し、特に、バックライトとして使用される照明装置を構成するＬＥＤ基板、これを備えた照明装置及びディプレイ装置に関する。
【背景技術】
【０００２】
ディスプレイ装置のバックライトとして用いられる照明装置には、複数のＬＥＤを備えたものがある。照明装置は、それぞれが所定数のＬＥＤを実装した単一又は複数の基板を照明範囲の大きさに応じた枚数だけ、平板状の配置している（例えば、特許文献１参照。）。
【０００３】
各基板は、矩形を呈し、所定数のＬＥＤが直線状又は格子状に実装され、端部にコネクタを備えている。単一の基板の面積に比較して照明範囲が広い場合には、複数の基板がそれぞれの端部を近接させた状態でフレームに固定される。各ＬＥＤには、照明範囲の互いに平行な２側面の間で、コネクタの接続方向に沿って電源部から電圧が印加される。
【先行技術文献】
【特許文献】
【０００４】
【特許文献１】特開２００８−８４６３１号公報
【発明の概要】
【発明が解決しようとする課題】
【０００５】
しかし、従来の照明装置では、コネクタで接続された複数の基板における隣接方向の両端部に電源部との間のハーネスを接続している。このため、照明装置の両端部にはＬＥＤを配置することが出来ず、ディスプレイ装置の表示を端部まで設けることが出来ないため額縁の幅が広くなり、このディスプレイを用いてマルチディスプレイを構成した場合、ディスプレイ間に画像が表示されない領域が多く存在してしまう。また、電源部と基板との間のハーネス長が長くなり、ＬＥＤに対する印加電圧の波形に鈍りを生じる問題がある。また、照明装置では、ＬＥＤの発熱による電子部品の誤作動や劣化を防止するためにダクト等の放熱部材を配置する必要があるが、長いハーネスによって照明装置内における放熱部材の配置スペースの自由度が低下する。
【０００６】
この発明の目的は、隣接する基板における互いに対向する端部で電源部との間の電気的接続を行うことで、基板設置時に外側にあたる端部までＬＥＤを配置することができ、照明範囲を広くすることができることからディスプレイ装置の端部まで表示を設けることができ、また、ハーネス長を短縮することができ、ＬＥＤに対する印加電圧の波形の鈍りを防止できるとともに、放熱部材等の配置の自由度を高めることができるＬＥＤ基板、照明装置及びディスプレイ装置を提供することにある。
【課題を解決するための手段】
【０００７】
この発明のＬＥＤ基板は、所定数のＬＥＤを実装し、互いに対向する隣接側端部を近接させて２枚が隣接した状態で配置されるＬＥＤ基板であって、電源接続用のハーネスが接続されるコネクタを隣接側端部に配置している。
【０００８】
この構成によれば、隣接して配置される２枚のＬＥＤ基板のそれぞれの隣接側端部に配置されたコネクタに、電源部からの電源接続用のハーネスが接続される。ＬＥＤ基板設置時の外側端部までＬＥＤを設置でき、表示範囲を広くすることができる。電源部とコネクタとの間の距離が短縮され、ハーネス長が短縮される。
【０００９】
接合用端部は、隣接方向に直交する方向の中心点について回転対称となる凹凸形状を呈している。第１のＬＥＤ基板の接合用端部の凸部が第２のＬＥＤ基板の接合用端部の凹部に嵌入し、２つのＬＥＤ基板を十分に接近させて隣接させることができる。隣接する２枚のＬＥＤ基板のそれぞれの最も接合用端部側のＬＥＤの間隔を、単一のＬＥＤ基板におけるＬＥＤ間隔に容易に一致させることができる。
【発明の効果】
【００１０】
この発明によれば、ＬＥＤ基板設置時の外側端部までＬＥＤを設置でき、バックライト装置として端部まで照射する事ができるので表示範囲を広め狭額縁化することができ、また、電源接続用のハーネス長を短縮することができ、ＬＥＤに対する印加電圧の波形の鈍りを防止できるとともに、放熱部材等の配置の自由度を高めることができる。
【図面の簡単な説明】
【００１１】
【図１】本発明の実施形態に係るＬＥＤ基板を適用した照明装置を備えたディスプレイ装置の組立図である。
【図２】同ＬＥＤ基板の要部の正面図である。
【図３】同ＬＥＤ基板の使用状態を示す要部の正面図である。
【図４】同ＬＥＤ基板が取り付けられる照明装置の要部の断面図である。
【発明を実施するための形態】
【００１２】
以下に、この発明の実施形態に係るＬＥＤ基板及び照明装置を、ディスプレイ装置のバックライトとして使用した場合について図面を参照しつつ詳細に説明する。
【００１３】
図１に示すように、この発明の実施形態に係るＬＥＤ基板１は、一例としてディスプレイ装置１００のバックライト２０に備えられる。ディスプレイ装置１００は、フレーム１１０、液晶パネル１２０、バックライト２０を積層して構成されている。
【００１４】
この発明の照明装置であるバックライト２０は、背面フレーム２１、ＬＥＤ基板１、拡散板２２を積層して構成されている。
【００１５】
背面フレーム２１は、平板状を呈し、前面に一例として４枚のＬＥＤ基板１が固定されるとともに、裏面に図示しない電源部等を備えている。４枚のＬＥＤ基板１は、背面フレーム２１の前面に上下及び左右に近接して配置される。４枚のＬＥＤ基板１のそれぞれは、一例として略矩形を呈し、前面に複数のＬＥＤ１１を格子状に実装している。
【００１６】
バックライト２０は、ＬＥＤ１１から照射された光を、拡散板２２で拡散させた後に、液晶パネル１２０の背面に向かって全面にわたって略均一な照度で配光する。
【００１７】
図２に示すように、ＬＥＤ基板１は、矩形の一方の短辺を、凸部１２１及び凹部１２２で構成し、隣接側端部１２としたものである。凸部１２１には、ＬＥＤ１１に駆動電圧を印加するために電源部に電気的に接続されるコネクタ１３が取り付けられている。コネクタ１３には、電源部から延出したハーネス（可撓性のフラットケーブル）が嵌入する。
【００１８】
背面フレーム２１上で左右方向（隣接方向）に隣接する２枚のＬＥＤ基板１は、互いの隣接側端部１２を近接させている。隣接側端部１２は、隣接方向に直交する方向の中心について回転対称となる形状にされている。
【００１９】
図３に示すように、詳細には、コネクタ１３は、ＬＥＤ基板１の一部を隣接方向に突出させた凸部１２１に取り付けられている。また、凹部１２２には、凸部１２１から突出したコネクタ１３に接続されたハーネス３０との干渉をさせるべく、切欠き１２２１が形成されている。
【００２０】
隣接方向に近接して配置された２枚のＬＥＤ基板１において、一方ＬＥＤ基板１の凸部１２１が、コネクタ１３と切欠き１２２１との間にハーネス３０を厚さ方向に挟んだ状態で、他方のＬＥＤ基板１の凹部１２２に嵌入する。２枚のＬＥＤ基板１をハーネス３０の厚さ分だけ離間した状態で隣接させることができ、各ＬＥＤ基板１における最も隣接側端部１２に近いＬＥＤ１１Ａ及びＬＥＤ１１Ｂの間隔を、各ＬＥＤ基板１における複数のＬＥＤ１の間隔に等しくすることができる。このため、バックライト２０におけるＬＥＤ１の配置間隔が一定になり、照度ムラを生じることがない。
【００２１】
図４に示すように、背面フレーム２１の裏面側で、隣接方向における２枚のＬＥＤ基板１の中間部に、電源部４０を配置し、電源部４０のハーネス３０が貫通する孔部２１１を背面フレーム２１に形成する。各ＬＥＤ基板１のコネクタ１３と電源部４０との距離が短縮される。電源部のハーネスを背面フレーム２１の外側を経由してＬＥＤ基板の端部に接続する場合に比較して、ＬＥＤ基板の外側までＬＥＤを設けることができ、ディスプレイ装置の狭額縁化が可能である。また、ハーネス長が短縮される。ＬＥＤ１１に対する印加電圧の波形の鈍りを防止できる。また、背面フレーム２１の裏面側におけるスペースの自由度が高くなり、冷却用のダクト等の設計が容易になる。
【００２２】
但し、各ＬＥＤ基板１における最も隣接側端部１２に近いＬＥＤ１１Ａ及びＬＥＤ１１Ｂの間隔を、各ＬＥＤ基板１における複数のＬＥＤ１の間隔に等しくできることを条件に、隣接側端部１２を直線で構成することもできる。
【００２３】
この発明のＬＥＤ基板１を備えた照明装置は、液晶パネル１２０を備えたディスプレイ装置１００のバックライト２０だけでなく、面光源を必要とする装置に使用することができる。
【００２４】
また、この発明は、所定数のＬＥＤ１１を格子状に実装したＬＥＤ基板１だけでなく、所定数のＬＥＤ１１を直線状に実装した帯状のＬＥＤ基板にも適用することができる。但し、所定数のＬＥＤ１１を格子状に実装することで、同一の照明範囲に対するＬＥＤ基板の必要数を削減できる。
【００２５】
さらに、この発明は、矩形のＬＥＤ基板だけでなく、２枚のＬＥＤ基板のそれぞれの同一の辺が近接するように組み合わせて矩形を形成することができる三角形等のＬＥＤ基板にも適用できる。
【００２６】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００２７】
１−ＬＥＤ基板
１１−ＬＥＤ
１２−隣接側端部
１３−コネクタ
２０−バックライト（照明装置）
２１−背面フレーム
３０−ハーネス
４０−電源部
１００−ディスプレイ装置
１２１−凸部
１２２−凹部
【図１】
0005738709.tif 000002
【図２】
0005738709.tif 000003
【図３】
0005738709.tif 000004
【図４】
0005738709.tif 000005